(57)【要約】  リールシート（２）と、リールシート（２）の前端面から延出するブランク（４）と、ブランク（４）に同軸上に設けられた筒状のスペーサ（５）と、リールシート（２）の前端部に螺着する筒体（３）と、筒体（３）の後端に連設されたフード（６）と、筒体（３）の前端面に沿って、又は、筒体（３）の前端面よりも前方に延出するようにして、該筒体（３）の径方向の中心方向に向かう複数の支持部（７）とを備え、筒体（３）をリールシート（２）側にねじ込んだ状態で、各支持部（７）の先端（７ｂ）がスペーサ（５）に近接する構成にした。これにより、ブランク（４）と筒体（３）とが支持し合うようにするとともに、その位置を筒体（３）よりも前に設定することができる。
2015025360.tif 000002
【特許請求の範囲】
【請求項１】
リールシートと、
前記リールシートの前端面から延出するブランクと、
前記ブランクに同軸上に設けられた筒状のスペーサと、
前記リールシートの前端部に螺着する筒体と、
前記筒体の後端に連設されたフードと、
前記筒体の前端面に沿って、又は、前記筒体の前端面よりも前方に延出するようにして、該筒体の径方向の中心方向に向かう複数の支持部とを備え、
前記筒体を前記リールシート側にねじ込んだ状態で、前記各支持部の先端が前記スペーサに近接する構成にしたことを特徴とする釣り竿。
【請求項２】
前記複数の支持部は、前記筒体の周方向に均等に配置されていることを特徴とする請求項１に記載の釣り竿。
【請求項３】
前記各支持部は、前記筒体の外周面で前後方向に延伸するストレート部を有することを特徴とする請求項１又は２に記載の釣り竿。
【請求項４】
前記リールシートには、リール固定面とは別の位置に、前面及び後面が斜面であって、前記後面に比べて前記前面を急傾斜とした膨出部が設けられていることを特徴とする請求項１乃至３のいずれか１項に記載の釣り竿。
【発明の詳細な説明】
【技術分野】
【０００１】
本発明は、筒体をリールシート側にねじ込むことによりリールシート上のリールを固定するようにした釣り竿に関する。
【背景技術】
【０００２】
釣り竿としては、リールシートにリールを搭載した状態で、フロントグリップをリールシート側にねじ込むと、フロントグリップ後端のフードがリールの前側の脚を覆うように係合してリールを固定する構造が知られている（例えば特許文献１を参照）。
【先行技術文献】
【特許文献】
【０００３】
【特許文献１】特許第４０６８３８８号公報
【発明の概要】
【発明が解決しようとする課題】
【０００４】
特許文献１では、リールシートの前端面から延出するブランクとフロントグリップとが偏心するのを防ぐための構成が開示されている。具体的には、フロントグリップの前端に挿設されたリング部材を備え、フロントグリップをリールシート側にねじ込んだ状態で、リールシート前端から突出するフレーム又はブランクの外周面に設けられたパイプ状部材によってリング部材の内径部分が支持されるようになっている。【０００５】
しかしながら、特許文献１の構成では、ブランクとフロントグリップとが支持し合う位置が、リング部材の位置に限られてしまう。例えば荷重が作用するブランクを支持するという点でいえば、ブランクのできるだけ前方（ブランクの先端側）を支持した方が剛性を高めることができる。【０００６】
本発明は上記のような点に鑑みてなされたものであり、リールシートの前端面から延出するブランクと、リールシートの前端部に螺着する筒体とが支持し合うようにするとともに、その位置を筒体よりも前に設定できるようにすることを目的とする。
【課題を解決するための手段】
【０００７】
本発明の釣り竿は、リールシートと、前記リールシートの前端面から延出するブランクと、前記ブランクに同軸上に設けられた筒状のスペーサと、前記リールシートの前端部に螺着する筒体と、前記筒体の後端に連設されたフードと、前記筒体の前端面に沿って、又は、前記筒体の前端面よりも前方に延出するようにして、該筒体の径方向の中心方向に向かう複数の支持部とを備え、前記筒体を前記リールシート側にねじ込んだ状態で、前記各支持部の先端が前記スペーサに近接する構成にしたことを特徴とする。
また、本発明の釣り竿の他の特徴とするところは、前記複数の支持部は、前記筒体の周方向に均等に配置されている点にある。
また、本発明の釣り竿の他の特徴とするところは、前記各支持部は、前記筒体の外周面で前後方向に延伸するストレート部を有する点にある。
また、本発明の釣り竿の他の特徴とするところは、前記リールシートには、リール固定面とは別の位置に、前面及び後面が斜面であって、前記後面に比べて前記前面を急傾斜とした膨出部が設けられている点にある。
【発明の効果】
【０００８】
本発明によれば、リールシートの前端面から延出するブランクと、リールシートの前端部に螺着する筒体とが支持し合うようにするとともに、その位置を筒体よりも前に設定することができる。
【図面の簡単な説明】
【０００９】
【図１】図１は、第１の実施形態に係る釣り竿を前方から見た斜視図である。
【図２】図２は、第１の実施形態に係る釣り竿を後方から見た斜視図である。
【図３】図３は、リールシートまわりの構成を説明するための図である。
【図４】図４は、第２の実施形態に係る釣り竿を前方から見た斜視図である。
【図５】図５は、第２の実施形態に係る釣り竿を後方から見た斜視図である。
【発明を実施するための形態】
【００１０】
以下、本発明を実施するための形態を、添付図面を参照しながら説明する。
（第１の実施形態）
図１〜図３に、第１の実施形態に係る釣竿を示す。なお、本願において前後とは、ブランク４の先端方向を前としたものとする。
ユーザが握る部分であるグリップ１の前に、リールシート２が連設されている。リールシート２は、リール１００を取り付けるためのものであり、その素材にはガラス混合樹脂等が用いられる。図３に示すように、リールシート２の前端部外周面には、後述する筒体３が螺着するためのネジ部２ａが形成されている。本実施形態では、リールシート２の上面がリール固定面２ｂとなっており、下面には指を掛けるためのトリガーハンドル２ｃが一体成形されている。なお、図３はリールシート２まわりの概略構成を説明するための図であり、図１、図２に示すものとは形状、サイズ等が一致していない箇所もありうる。
【００１１】
リールシート２の前端面からは、カーボン或いはグラスファイバ製のブランク４が延出する。本実施形態に係る釣り竿は、所謂ブランクスルー構造を有し、ブランク４がリールシート２、グリップ１に挿通する。
【００１２】
ブランク４には、筒状のスペーサ５が同軸上に設けられている。スペーサ５はリールシート２の前端に連なるように配置されている。スペーサ５の前端部にはテーパ部５ａが形成されている。
【００１３】
リールシート２の前端部には、筒体３が螺着する。筒体３は樹脂製或いは金属製であり、その内周面に、リールシート２のネジ部２ａに対応するネジ部が形成されている。また、筒体３の前端及び後端を構成するようにリング３ａ、３ｂが設けられている。
筒体３の後端には、フード６が連設されている。フード６は、筒体３に連なるように一体化されているが、筒体３とは相対回転可能となっている。フード６は、リールシート２のリール固定面２ｂ上のリール１００の前側の脚部１０１（図３を参照）を覆うように係合してリール１００を固定する。
【００１４】
筒体３には、複数の支持部７が該筒体３の周方向に均等に配置されている。各支持部７は、柱状或いは棒状を呈し、筒体３の外周面で前後方向に延伸するストレート部７ａを有するとともに、前側のリング３ａを乗り越えるようにして、筒体３の前端面に沿って該筒体３の径方向の中心方向に向かう。
【００１５】
このようにした釣り竿では、図３に示すように、リール１００を取り付けるときには、リール１００の後側の脚部１０２を、リールシート２のリール固定面２ｂの後方に形成された孔に挿入する。そして、筒体３をリールシート２側にねじ込むと、フード６がリール１００の前側の脚部１０１を覆うように係合してリール１００を固定することができる。
【００１６】
ここで、筒体３がリールシート２側にねじ込まれていない状態では、各支持部７の先端７ｂはスペーサ５よりも前方に位置し、各支持部７の先端７ｂとブランク４の外周面との間には隙間がある。
この状態から、上述したようにリール１００を固定するために筒体３をリールシート２側に所定のストローク量だけねじ込むと、図１、図２に示すように、各支持部７の先端７ｂがスペーサ５の位置まで移動して、先端７ｂがスペーサ５に近接する。スペーサ５の前端部はテーパ部５ａとなっているので、各支持部７の先端７ｂがスペーサ５の前端部に引っ掛かることなくスムーズに筒体３をリールシート２側にねじ込むことができる。なお、近接するとは、各支持部７の先端７ｂがスペーサ５の外周面に接触する場合と、各支持部７の先端７ｂとスペーサ５の外周面との間に僅かな隙間がある場合とを含むものとする。
【００１７】
以上述べたように、筒体３をリールシート２側にねじ込むと、各支持部７の先端７ｂがスペーサ５に近接して、ブランク４と筒体３とが支持し合うヘッドロッキング構造を有する。
これにより、筒体３が各支持部７及びスペーサ５を介してブランク４に支持されることになり、筒体３を強くねじ込んで、筒体３を傾けるような力が作用したときでも、ブランク４に対して筒体３が偏心するのを防ぐことができる。
また、ブランク４がスペーサ５を介して各支持部７に支持されることになり、ブランク４に荷重が作用したときにも、ブランク４が筒体３に対して偏心するのを防ぐことができる。これにより、ブランク４の耐久性を向上させるとともに、グリップ１側の力をダイレクトにブランク４側に伝えることができる。
【００１８】
しかも、各支持部７が、筒体３の外周面側から前端面に沿って該筒体３の径方向の中心方向に向かう形状を有するので、ブランク４と筒体３とが支持し合う位置、すなわち各支持部７の先端７ｂがスペーサ５に近接する位置を、筒体３よりも前に設定することができる。したがって、ブランク４のできるだけ前方を支持することができ、剛性を高めることができる。
【００１９】
（第２の実施形態）
図４、図５に、第２の実施形態に係る釣竿を示す。なお、第１の実施形態と同様の構成要素には同一の符号を付し、以下では、第１の実施形態との相違点を中心に説明する。
【００２０】
本実施形態では、リールシート２の下面がリール固定面２ｂとなっており、上面には指を掛けるための膨出部２ｄが一体成形されている。膨出部２ｄは、前面２ｅ及び後面２ｆが斜面であって、後面２ｆに比べて前面２ｅが急傾斜となった、いわばハンプバック形状を有する。グリップ１を握った手の親指を膨出部２ｄの前面２ｅに押し当てることができ、グリップ力、操作性を向上させることができる。前面２ｅは、親指に沿うように内側にやや凹む曲面状の斜面とするのが好ましい。
【００２１】
また、第１の実施形態と同様、筒体３には、複数の支持部７が該筒体３の周方向に均等に配置されている。本実施形態では、各支持部７が、後方に向かうに従って高さが低くなる流線形状の板材を立設させた形態となっている。各支持部７は、筒体３の外周面で前後方向に延伸するストレート部７ａを有するとともに、前側のリング３ａを乗り越えて、更に筒体３の前端面よりも前方に延出するようにして、該筒体３の径方向の中心方向に向かう。
【００２２】
第２の実施形態では、各支持部７が筒体３の前端面よりも前方に延出するようにしたので、第１の実施形態に比べて、ブランク４と筒体３とが支持し合う位置を、すなわち各支持部７の先端７ｂがスペーサ５に近接する位置を、第１の実施形態と比べて更に前方に位置させることができる。
【００２３】
以上、本発明を種々の実施形態と共に説明したが、本発明はこれらの実施形態にのみ限定されるものではなく、本発明の範囲内で変更等が可能である。
例えば支持部７の形状、数、サイズ等は、図示したものに限定されるものではない。
また、スペーサ５は、筒体３をリールシート２側に所定のストローク量だけねじ込むと、各支持部７の先端７ｂがスペーサ５に近接するという条件を満たす限り、リールシート２の前端に連なっていなくてもよい。また、特許文献１にあるように、パイプ状のフレームの外周面にグリップ１及びリールシート２を外装する構成とする場合、該フレームをリールシート２の前端面より突出させてスペーサ５として利用するようにしてもよい。
また、本発明でいう筒体としては、上記実施形態のような筒体３でもよいし、フロントグリップとしての機能を有するものであってもよい。
【産業上の利用可能性】
【００２４】
本発明は、筒体をリールシート側にねじ込むことによりリールシート上のリールを固定するようにした釣り竿に適用することが可能である。
【図１】
2015025360.tif 000003
【図２】
2015025360.tif 000004
【図３】
2015025360.tif 000005
【図４】
2015025360.tif 000006
【図５】
2015025360.tif 000007
【国際調査報告】
2015025360.tif 000008
2015025360.tif 000009
2015025360.tif 000010
2015025360.tif 000011